(57)【要約】【課題】取り付け作業が容易で、下方の空間が狭い場合でも取り付けできるダンパーを提供する。【解決手段】床を構成する梁材１５に設置するダンパー２である。  そして、梁材１５の上面１５１に弾性材２３を介して載置される載置部２１と、載置部２１から下方に延びて梁材１５の側面１５２を挟む一対の垂下部２２，２２と、を備える。【選択図】図１
2008248507.tif 000002
【特許請求の範囲】
【請求項１】
床を構成する梁材に設置するダンパーであって、前記梁材の上面に弾性材を介して載置される載置部と、
該載置部から下方に延びて前記梁材の側面を挟む一対の垂下部と、を備えることを特徴とするダンパー。
【請求項２】
床梁に床小梁が架け渡され、該床小梁の上に床根太が取り付けられ、該床根太の上に床材が取り付けられて床を構成し、前記床小梁にダンパーが取り付けられる床構造であって、
前記ダンパーは、前記床小梁の上面に弾性材を介して載置される載置部と、
該載置部から下方に延びて前記床小梁の側面を挟む一対の垂下部と、を備えることを特徴とする床構造。
【請求項３】
前記載置部の上面は、前記床材の下面より下に位置することを特徴とする請求項２に記載の床構造。
【請求項４】
前記垂下部と前記床小梁の側面との間には、緩衝材が挿入されることを特徴とする請求項２又は請求項３に記載の床構造。
【請求項５】
前記垂下部には、重錘部が取り付けられることを特徴とする請求項２乃至請求項４のいずれか一項に記載の床構造。
【請求項６】
前記ダンパーは、前記床の衝撃音による振動モードの腹位置近傍に設置されることを特徴とする請求項２乃至請求項５のいずれか一項に記載の床構造。
【請求項７】
請求項２乃至請求項６のいずれか一項に記載の床構造を備えることを特徴とする建物ユニット。
【請求項８】
請求項７に記載の建物ユニットを備えることを特徴とするユニット建物。
【請求項９】
請求項２乃至請求項６のいずれか一項に記載の床構造を備えることを特徴とする建物。
【発明の詳細な説明】
【技術分野】
【０００１】
本発明は、衝撃音を低減させるダンパーと、床構造と、この床構造を備える建物ユニットと、ユニット建物と、建物に関する。
【背景技術】
【０００２】
従来、上階において、子供が飛び跳ねたり、物を落下させたりした場合に発生する衝撃音が、下階における騒音として問題となっている。
【０００３】
この衝撃音を低減する方法として、例えば特許文献１に示す制振装置が知られている。
【０００４】
この制振装置は、床小梁の側面に取付けられるダイナミックダンパー型のものであり、ダンパーの固有振動数とゴム部の特性とを特定の範囲に限定することを特徴としている。
【０００５】
このようにダンパーを構成することで、衝撃による床の振動を効率よく制振し、下の階には振動を伝播させないようにすることができる。
【特許文献１】特開２００４−３２８０号公報
【発明の開示】
【発明が解決しようとする課題】
【０００６】
一方、上記した特許文献１の鋼板ダンパーを備えた床構造では、振動エネルギーを効果的に吸収するためと、ダンパーの脱落防止のために、ボルト・ナットや溶接などによって、ダンパーを床小梁の側面に強固に取り付ける必要があった。
【０００７】
しかしながら、この取り付け作業には手間がかかるとともに、床小梁の下方の空間が狭い場合には取り付けできないという問題があった。
【０００８】
そこで、本発明は、取り付け作業が容易で、下方の空間が狭い場合でも取り付けできるダンパー、床構造、建物ユニット、ユニット建物及び建物を提供することを目的としている。
【課題を解決するための手段】
【０００９】
前記目的を達成するために、本発明のダンパーは、床を構成する梁材に設置するダンパーであって、前記梁材の上面に弾性材を介して載置される載置部と、該載置部から下方に延びて前記梁材の側面を挟む一対の垂下部と、を備えることを特徴とする。
【００１０】
そして、本発明の床構造は、床梁に床小梁が架け渡され、該床小梁の上に床根太が取り付けられ、該床根太の上に床材が取り付けられて床を構成し、前記床小梁にダンパーが取り付けられる床構造であって、前記ダンパーは、前記床小梁の上面に弾性材を介して載置される載置部と、該載置部から下方に延びて前記床小梁の側面を挟む一対の垂下部と、を備えることを特徴とする。
【００１１】
また、載置部の上面は、前記床材の下面より下に位置することが好ましい。
【００１２】
さらに、前記垂下部と前記床小梁の側面との間には、緩衝材が挿入されることが好ましい。
【００１３】
そして、前記垂下部には、重錘部を取り付けることができる。
【００１４】
また、上記したいずれのダンパーも、前記床の衝撃音による振動モードの腹位置近傍に設置されることが好ましい。
【００１５】
さらに、本発明の建物ユニットは、上記したような床構造を備えることを特徴とする。
【００１６】
また、本発明のユニット建物は、上記の建物ユニットを備えることを特徴とする。
【００１７】
そして、本発明の建物は、上記したような床構造を備えることを特徴とする。
【発明の効果】
【００１８】
このように、本発明の床構造に取り付けられるダンパーは、床小梁の上面に弾性材を介して載置される載置部と、載置部から下方に延びて床小梁の側面を挟む一対の垂下部と、を備えている。
【００１９】
したがって、床に衝撃音が発生すると、床の振動が床小梁に伝達され、床小梁が振動する。
【００２０】
一方で、床小梁が振動によって変位しても、床小梁との相対的な位置を固定されないで、床小梁に弾性材を介して載置されているダンパーは、慣性の法則によって静止したままの状態を保とうとする。
【００２１】
そうすると、床小梁の上面と載置部の間に介在する弾性材が伸縮することで、反対にこの弾性材から床小梁に対して弾性反力が伝達されて、床小梁の振動が減衰される。
【００２２】
そして、上記したように、床小梁の上面に弾性材を介してダンパーの載置部を載置する簡単な構造であるため、ダンパーを床小梁に強固に固定する必要はなく、ダンパーの取り付けが容易である。
【００２３】
加えて、床小梁と弾性材、弾性材と載置部、の接合箇所は、ダンパーの重さによって押し付けられており、横ずれを防止する程度の簡易な取り付け方法を用いることができるため、作業性が向上する。
【００２４】
さらに、垂下部で床小梁の側面を挟むことで、ダンパーと床小梁との相対変位を拘束できるため、相対変位が大きくなってダンパーが脱落することを防止できる。
【００２５】
また、床小梁の下方の空間を利用せずに取り付けできる構造であるため、下方の空間が狭い場合でも取り付けできる。
【００２６】
さらに、載置部の上面が床材の下面より下に位置することで、載置部が直に床材に接触せず、床材から直に振動が伝達されることがないため、効率よく振動を減衰することができる。
【００２７】
そして、垂下部と床小梁の側面との間に、緩衝材が挿入されることで、ダンパーが床小梁に接触することがなくなるため、床小梁を傷つけることがない。
【００２８】
また、垂下部に重錘部が取り付けられることで、ダンパーの重量が増加してダンパーが安定するため、より大きな弾性反力によって効率よく振動を減衰することができる。なお、重錘部を垂下部の下部に取り付けると、重錘部の重心を下げることができ、ダンパーの横ぶれを少なくすることができるため好ましい。
【００２９】
さらに、ダンパーを床の衝撃音による振動モードの腹位置近傍に設置することで、振幅の大きい位置で振動を吸収できるため、床の衝撃音を効率よく減衰することができる。
【００３０】
そして、上記したようなダンパーを備えることで、上階における衝撃音を低減し、下階に伝わる騒音を抑えた建物ユニットとすることができる。
【００３１】
また、上記の建物ユニットを備えるユニット建物は、上階における衝撃音を低減し、下階に伝わる騒音を抑えた、快適な居住空間となる。
【００３２】
さらに、上記の床構造を備える建物は、上階における衝撃音を低減し、下階に伝わる騒音を抑えた、快適な居住空間となる。
【発明を実施するための最良の形態】
【００３３】
以下、本発明の最良の実施の形態について図面を参照して説明する。
【００３４】
まず、図２を用いて、ユニット建物Ｕの構成を説明する。このユニット建物Ｕは、複数の階を有している。すなわち、基礎３の上に１階部分となる建物ユニット１Ａ，・・・を設置し、この建物ユニット１Ａ，・・・の上に２階部分となる建物ユニット１，・・・を設置し、さらに建物ユニット１，・・・の上に屋根パネル４を取り付けている。
【００３５】
次に図３を用いて、本実施の形態の床構造Ｃを備えた、２階部分の建物ユニット１の構成を説明する。この建物ユニット１は、４本の柱１１，・・・と、この柱１１，・・・の下端を連結した４本の床梁１２，・・・と、この柱１１，・・・の上端を連結した４本の天井梁１３，・・・と、を有する骨組み構造体を備えている。
【００３６】
ここで、上記した骨組み構造体において、柱１１，・・・としては角形鋼管などを使用することができる。また、床梁１２，・・・及び天井梁１３，・・・としては、溝形鋼などを使用することができる。
【００３７】
また、対向する長辺の床梁１２，１２には、床小梁１５，・・・が略平行に架け渡され、この床小梁１５，・・・の上に床根太１６，・・・が略平行に取り付けられ、床根太１６，・・・の上にパーティクルボードなどの床材１４が取り付けられて床が形成される。
【００３８】
この床小梁１５は、角形鋼管などによって形成されるもので、複数の床小梁１５，・・・が床梁１２，１２のウェブ又はフランジに略平行に架け渡されている。
【００３９】
また、床根太１６は、木製の角材などによって形成されるもので、複数の床根太１６，・・・が床小梁１５の上に略平行に取り付けられている。
【００４０】
さらに、対向する長辺の天井梁１３，１３に複数本の天井野縁１７，・・・が架け渡され、この天井野縁１７，・・・の下に石膏ボードなどの天井材１８が取り付けられて天井が形成される。
【００４１】
また、外壁（図示せず）を設ける場所には、床梁１２と天井梁１３との間に間柱１９が取り付けられ、間柱１９の屋外側と屋内側にそれぞれ外壁材と内壁材とが取り付けられ、外壁材と内壁材との間にガラスウールなどの断熱材が設けられて壁が形成される。
【００４２】
なお、建物ユニット１において、床材１４は単層に限定されるものではなく、防音シート等を貼設することで複層となってもよい。
【００４３】
そして、本実施の形態では、床小梁１５にダンパー２が取り付けられている。
【００４４】
このダンパー２は、図１又は図４に示すように、床小梁１５の上面１５１に設置される弾性材２３と、この弾性材２３の上面に載置される載置部２１と、この載置部２１の両端から下方に延びて床小梁１５の両側の側面１５２，１５２を挟む一対の垂下部２２，２２と、この垂下部２２，２２と床小梁１５の側面１５２，１５２との間に挿入される緩衝材２４、２４と、を備えている。
【００４５】
なお、図１に示す斜視図では、説明の便宜のために床材１４の記載を省略している。
【００４６】
この弾性材２３は、ゴムによって矩形の板状に形成されて、床小梁１５の軸直交方向に有する幅は床小梁１５の軸直交方向の幅よりも狭く、床小梁１５の軸方向に有する長さはダンパー２の載置部２１よりも短くなっている。
【００４７】
また、この弾性材２３の形状は、矩形に限らず、正方形、楕円形、などいずれの形状でもよく、材質は、ゴムに限らず、粘弾性体など弾性を有するものであればいずれの材質でもよい。
【００４８】
そして、弾性材２３の最適な幅及び長さは、想定する床衝撃音の種類や、建物ユニット１の形状などによって異なるため、あらかじめ実験によって求めておく。
【００４９】
なお、床小梁１５の上面１５１と弾性材２３の接合は、粘着テープ、接着剤、ボルト・ナット、又はタッピングビスなど、振動によって浮き上がらない程度の接合方法であればよい。
【００５０】
さらに、載置部２１は、金属によって所定の重量を有するように形成されて、床小梁１５の軸直交方向に有する幅は、床小梁１５の幅よりも広く、床小梁１５の軸方向に有する長さは、床根太１６，・・・の設置間隔よりも狭くなっている。
【００５１】
また、図４に示すように、載置部２１の上面２１２は、ダンパー２が上下方向に振動した場合にも床材１４の下面１４１に接触しないように、床材１４の下面１４１よりも下に位置しており、床材１４の下面１４１との間に所定の間隙２６が形成されている。
【００５２】
この間隙２６の高さは、床小梁１５が振動した場合でも、載置部２１が床材１４の下面１４１に衝突しないように、あらかじめ実験によって求めておく。
【００５３】
そして、弾性材２３と載置部２１の接合は、上記した床小梁１５と弾性材２３の接合と同様に、粘着テープ、接着剤、ボルト・ナット、又はタッピングビスなど、振動によって浮き上がらない程度の接合方法を用いる。
【００５４】
また、垂下部２２は、金属によって載置部２１と一体に形成されるもので、載置部２１の床小梁１５の軸直交方向の両側の端部から下方に向かって延びている。
【００５５】
そして、対となる垂下部２２，２２は、互いに同一の材質及び形状を有し、ダンパー２の重心が、床小梁１５の軸直交方向の中央に位置するように形成されている。
【００５６】
したがって、載置部２１と垂下部２２，２２とは、全体として下に開いたコの字を形成している。
【００５７】
さらに、垂下部２２は、所定の重量を有する矩形の板状に形成され、床小梁１５の軸方向の長さは載置部２１と同一であり、上下方向の高さは、垂下部２２の下端が床小梁１５の下面より下方に突出しない高さに形成される。
【００５８】
ここにおいて、上記した載置部２１や垂下部２２の材質は、金属に限らず、ある程度の密度を有することで、所定の重量を得ることができるとともに、それ自体が変形しないように適度の剛性を有するものであれば、コンクリート、木など、どのような材質であってもよい。
【００５９】
そして、垂下部２２の下端近傍の床小梁１５に向いた内面２２１には、粘着テープや接着剤によって緩衝材２４が取り付けられている。
【００６０】
この緩衝材２４は、ゴム、スポンジ又は木などによって形成され、垂下部２２の内面２２１と床小梁１５の側面１５２の間の間隙とほぼ同一の幅を有しており、垂下部２２の内面２２１と床小梁１５の側面１５２の間に挿入されている。
【００６１】
また、緩衝材２４の床小梁１５の軸方向の長さや上下方向の高さの最適な値は、床小梁１５と垂下部２２とが接触して、床小梁１５の振動が直に垂下部２２に伝達されることがないように、ダンパー２の安定を損なわない範囲で、できる限り小さくなるように形成する。
【００６２】
一方、建物ユニット１の床梁１２，・・・と、床小梁１５，・・・と、床根太１６，・・・と、床材１４と、によって構成される床構造Ｃは、特定の周波数に対して共振することが知られている。
【００６３】
この共振周波数における床構造Ｃの振動波形を床構造Ｃの振動モードと呼び、振動モードの振幅が最大となる位置を腹、振幅がゼロとなる位置を節と呼ぶ。
【００６４】
そして、本実施の形態のダンパー２は、図５に示すように、建物ユニット１における床構造Ｃの振動モードＭ１，Ｍ２の腹位置Ａ１，Ａ２の近傍の床小梁１５に取り付けられる。
【００６５】
特に、床構造Ｃにおける歩行振動モードの腹位置及び他の重量衝撃振動モードの腹位置に設置するのが好ましい。
【００６６】
例えば、歩行振動モードＭ１の腹位置Ａ１が床の桁方向の略中央付近で、別の重量衝撃振動モードＭ２の腹位置Ａ２が床の桁方向の略４等分点の位置であったとする。
【００６７】
この場合には、ダンパー２を床の４等分点の３箇所に設置するが、図５に示した場合のように、腹位置Ａ１，Ａ２，Ａ２に対応する位置に床小梁１５が設置されていない場合には、腹位置Ａ１，Ａ２，Ａ２を挟む両側の床小梁１５，１５のうちのより近い床小梁１５にダンパー２を取り付ける。
【００６８】
また、ダンパー２は、妻方向については、床小梁１５の振動の振幅が最も大きくなる床小梁１５の妻方向略中央近傍に取り付ける。
【００６９】
次に、本実施の形態の床構造Ｃの作用について説明する。
【００７０】
このように、本発明の床構造Ｃは、図１に示すように、床小梁１５の上面１５１に弾性材２３を介して載置される載置部２１と、載置部２１から下方に延びて床小梁１５の側面１５２を挟む一対の垂下部２２，２２と、を備えている。
【００７１】
したがって、床材１４に衝撃音が発生すると、図４に示すように、床材１４の振動が床根太１６に伝達され、床根太１６に伝達された振動が床小梁１５に伝達されて、床小梁１５が振動する。
【００７２】
一方、床小梁１５が振動によって上下に変位しても、ダンパー２は、床小梁１５に弾性材２３を介して載置されていることで、床小梁１５との相対的な位置を固定されていないため、慣性の法則によって静止したままの状態を保とうとする。
【００７３】
そうすると、床小梁１５が振動して、床小梁１５の上面１５１と載置部２１の下面２１１の間に、変位差が生じることで、介在する弾性材２３が伸縮するため、反対にこの弾性材２３から床小梁１５に対して弾性反力が伝達されて、床小梁１５の振動が減衰される。
【００７４】
すなわち、床小梁１５が振動によって上方に変位した場合には、弾性材２３が収縮することで下向きに弾性反力を及ぼすこととなり、床小梁１５が下方に変位した場合には、弾性材２３が伸長することで上向きに弾性反力を及ぼすこととなるため、いずれの方向に変位しても弾性反力によって振動を減衰することができる。
【００７５】
そして、垂下部２２，２２が載置部２１から下方に延びるように形成されることで、ダンパー２全体としての重心が下方に下がるため、ダンパー２の安定性が高くなる。
【００７６】
つまり、垂下部２２，２２を備えることで、ダンパー２の重心が下がって床小梁１５の振動中心に近づくため、床小梁１５が振動しても、ダンパー２に作用する偏心力が小さくなって、ダンパー２の安定性が高くなる。
【００７７】
このように、重心が下がることで、振動などによってダンパー２が傾斜しても、復元力が働いて傾斜の増加を防止するため、ダンパー２を床小梁１５に強固に固定しなくても、ダンパー２の脱落を防止できる。
【００７８】
そして、上記したように、本実施の形態のダンパー２は、床小梁１５の上面１５１に弾性材２３を介してダンパー２を載置する構造であるため、ダンパー２の取り付けが容易である。
【００７９】
すなわち、取り付けの際には、あらかじめ載置部２１に弾性材２３を取り付けておくとともに、弾性材２３の下面に両面の粘着テープを貼り付けておいて、床小梁１５の上面１５１に載置することで取り付けが完了するため、作業がきわめて容易である。
【００８０】
この際、床小梁１５の上面１５１と弾性材２３の下面、弾性材２３の上面と載置部２１の下面２１１は、それぞれダンパー２の重さによって押し付けられるため、特に強固に固定する必要はなく、横ずれを防止する程度の簡易な取り付け方法を用いることができる。
【００８１】
そして、接着材、ボルト・ナット、タッピングビスなどの、他の取り付け方法を用いた場合でも、載置部２１が床小梁１５に載せられることで、ダンパー２は脱落することがなく、ダンパー２の重さを利用できるため、特別に強固に固定する必要はない。
【００８２】
さらに、垂下部２２，２２で床小梁１５の側面１５２を挟むことで、ダンパー２と床小梁１５との水平方向の相対変位を拘束できるため、相対変位が大きくなってダンパー２が脱落することを防止できる。
【００８３】
すなわち、仮にダンパー２が床小梁１５の軸直交方向の水平方向に移動した場合、このダンパー２は床小梁１５から脱落してしまうこととなるが、実際には、移動しようとしても、垂下部２２，２２が床小梁１５の側面１５２に衝突して移動することができないため、ダンパー２が脱落することはない。
【００８４】
また、本実施の形態のダンパー２は、床小梁１５の下方の空間を利用せずに取り付けできる構造であるため、床小梁１５の下方の空間が狭い場合でも取り付けできる。
【００８５】
つまり、ダンパー２を取り付ける際に、床小梁１５の上に位置する載置部２１を利用するため、床小梁１５の下方の空間を利用する必要はない。
【００８６】
加えて、垂下部２２，２２は、下端が床小梁１５の下面よりも上に位置するように形成されることで、床小梁１５の下面より下方の空間をまったく用いないでダンパー２を取り付けることができる。
【００８７】
このように、床小梁１５の下方の空間を利用せずに、ダンパー２を取り付けることができるため、上階の床と下階の天井との間の狭い空間にも、ダンパー２を取り付けることができる。
【００８８】
さらに、図４に示すように、載置部２１の上面２１２が床材１４の下面１４１より下に位置して間隙２６が形成されることで、載置部２１に床材１４から直に振動が伝達されることがないため、効率よく振動を減衰することができる。
【００８９】
すなわち、仮に、間隙２６が形成されないで、載置部２１が床材１４と直接に接触している場合には、床材１４の振動が直接にダンパー２に伝達されて、床材１４の変位とダンパー２の変位が一致するため、弾性材２３が伸縮することがなく、弾性反力によって床小梁１５の振動を減衰することもない。
【００９０】
これに対して、間隙２６が形成される場合には、床材１４の変位とダンパー２の変位が一致しないことで弾性材２３が伸縮するため、弾性反力によって床小梁１５の振動を減衰することができる。
【００９１】
また、垂下部２２と床小梁１５の側面１５２との間に、緩衝材２４が挿入されることで、ダンパー２が床小梁１５に接触して床小梁１５を傷つけることがない。
【００９２】
すなわち、床小梁１５が振動する際には、上下方向以外にも、水平方向にもわずかに振動しており、この水平方向の振動によって、ダンパー２が水平方向に振動することとなる。
【００９３】
そうすると、垂下部２２の内面２２１と床小梁１５の側面１５２とが接触してしまって床小梁１５の表面を傷つけてしまう可能性がある。
【００９４】
これに対して、本実施の形態の床構造Ｃのように、緩衝材２４を設けておけば、垂下部２２の内面２２１と床小梁１５の側面１５２とが接触することがないため、床小梁１５を傷つけることもない。
【００９５】
そして、ダンパー２を床の衝撃音による振動モードの腹位置近傍に設置することで、振幅の大きい位置で振動を吸収できるため、床の衝撃音を効率よく減衰することができる。
【００９６】
つまり、床小梁１５の振幅が大きいと、弾性材２３の変形量も大きくなって、弾性反力が大きくなることで、床小梁１５の振動による変位を抑制する効果が大きくなる。
【００９７】
また、上記したダンパー２を備えることで、上階における衝撃音を低減し、下階に伝わる騒音を抑えた建物ユニット１とすることができる。
【００９８】
そして、このような建物ユニット１を備えるユニット建物Ｕは、騒音を抑えた快適なユニット建物Ｕとなる。
【実施例】
【００９９】
次に、図６を用いて、前記実施の形態とは別の形態のダンパー２Ａを備える床構造Ｃ１について説明する。なお、前記実施の形態で説明した内容と同一乃至均等な部分の説明については同一符号を付して説明する。
【０１００】
前記実施の形態では、載置部２１や垂下部２２，２２に重量を持たせる場合について説明したが、本実施例では、垂下板３２，３２に重錘部３５，３５を取り付けて重量を付加する場合について説明する。
【０１０１】
まず、図６を用いて、本実施例の床構造Ｃ１が備えるダンパー２Ａの構成について説明する。
【０１０２】
このダンパー２Ａは、載置部としての載置板３１と、垂下部としての垂下板３２，３２と、垂下板３２，３２に取り付けられる重錘部３５，３５とを備えている。
【０１０３】
この載置板３１は、金属によって板状に形成されて、床小梁１５に弾性材２３を介して載置されている。
【０１０４】
また、垂下板３２，３２は、載置板３１と一体となって金属によって板状に形成されて、載置板３１から下方に床小梁１５を挟むように延び、中途部において屈曲されて、略水平方向に床小梁１５と反対方向に突出している。
【０１０５】
そして、この垂下板３２，３２の突出した箇所に、重錘部３５，３５が載置されるように粘着テープや接着剤などによって取り付けられている。
【０１０６】
この重錘部３５，３５は、金属、コンクリート又は木などによって、団塊状に形成されるもので、所定の重量を備えるものであれば材料及び形状は任意に決めることができる。
【０１０７】
このように、垂下板３２，３２に重錘部３５，３５が載置されることで、ダンパー２Ａの重量が増加して、ダンパー２Ａの姿勢が安定するため、効率よく振動を減衰することができる。
【０１０８】
すなわち、慣性の法則によれば、ダンパー２Ａの質量が増加すると、静止した状態のダンパー２Ａを動かすためにはより大きな力が必要になるため、床小梁１５が振動によって変位しても、ダンパー２Ａは動きにくくなる。
【０１０９】
そうすると、床小梁１５とダンパー２Ａの相対的な変位差は大きくなるため、弾性材２３の変形量も大きくなって、弾性反力も大きくなる。
【０１１０】
したがって、床小梁１５の振動をより大きい弾性反力によって抑制できるため、振動を効率よく減衰できる。
【０１１１】
また、重錘部３５，３５を備えることで、ダンパー２Ａの全体としての重心を下げることができるため、ダンパー２Ａの安定性が高くなる。
【０１１２】
つまり、重錘部３５，３５を備えることで、ダンパー２Ａの重心が下がって床小梁１５の振動中心に近づくため、床小梁１５が振動しても、ダンパー２Ａに作用する偏心力が小さくなって、ダンパー２Ａの安定性が高くなる。
【０１１３】
このように、重心が下がることで、振動などによってダンパー２Ａが傾斜しても、復元力が働いて傾斜の増加を防止するため、ダンパー２Ａを床小梁１５に強固に固定しなくても、ダンパー２Ａの脱落を防止できる。
【０１１４】
なお、この他の構成および作用効果については、前記実施の形態と略同様であるため説明を省略する。
【０１１５】
以上、図面を参照して、本発明の最良の実施の形態を詳述してきたが、具体的な構成は、この実施の形態又は実施例に限らず、本発明の要旨を逸脱しない程度の設計的変更は、本発明に含まれる。
【０１１６】
例えば、本実施の形態及び実施例では、弾性材２３を１箇所に取り付ける場合について説明したが、これに限定されるものではなく、弾性材２３を複数箇所に分散して取り付けるものであってもよい。
【０１１７】
また、本実施の形態及び実施例では、緩衝材２４を設ける場合について説明したが、これに限定されるものではなく、弾性材２３の種類や取り付け方法によっては、床小梁１５と垂下部２２とが接触しないように取り付けることもできるため、この場合には緩衝材２４は設けなくてもよい。
【０１１８】
さらに、本実施の形態及び実施例では、緩衝材２４を両側に１箇所ずつ取り付ける場合について説明したが、これに限定されるものではなく、緩衝材２４を複数箇所に分散して取り付けるものであってもよい。
【０１１９】
そして、本実施例では、重錘部３５を垂下板３２の突出した箇所に載置するように取り付ける場合について説明したが、これに限定されるものではなく、重錘部３５は、垂下板３２の略鉛直な側面にボルト・ナットやタッピングビスなどによって取り付けられるものであってもよい。
【図面の簡単な説明】
【０１２０】
【図１】本発明の最良の実施の形態の床構造に配置されるダンパーの構成を説明する斜視図である。
【図２】ユニット建物の概略構成を説明する斜視図である。
【図３】本発明の最良の実施の形態の建物ユニットの構成を一部破断して説明する斜視図である。
【図４】本発明の最良の実施の形態に配置されるダンパーの設置位置を説明する側面図である。
【図５】床構造におけるダンパーの設置位置を説明する説明図である。
【図６】実施例の床構造に配置するダンパーの構成を説明する斜視図である。
【符号の説明】
【０１２１】
１，１Ａ        建物ユニット
Ｃ，Ｃ１        床構造
１２            床梁
１４            床材
１４１          下面
１５            床小梁
１５１          上面
１５２          側面
２，２Ａ        ダンパー
２１            載置部
２１２          上面
２２            垂下部
２３            弾性材
２４            緩衝材
２６            間隙
３１            載置板（載置部）
３２            垂下板（垂下部）
３５            重錘部
Ｍ１，Ｍ２      振動モード
Ａ１，Ａ２      腹位置
【図１】
2008248507.tif 000003
【図２】
2008248507.tif 000004
【図３】
2008248507.tif 000005
【図４】
2008248507.tif 000006
【図５】
2008248507.tif 000007
【図６】
2008248507.tif 000008